(57)【要約】【課題】被保護者との間における連絡および被保護者の安否確認の確実性を向上させる携帯端末機を提供すること。【解決手段】充電式電池１３０と、電池残量検知手段１６１と、位置情報取得手段１６５と、電池残量が電子メール送信条件を満たしている場合にメール送信指示を出力するメール送信条件判断手段１６２と、電池残量が所定の位置情報取得条件を満たしている場合に位置情報取得指示を出力する位置情報取得条件判断手段１６４と、メール送信手段１６３とを備え、電子メール送信条件は、メール送信用下側閾値および／またはメール送信用上側閾値に電池残量が達することであり、位置情報取得条件は、メール送信用下側閾値とは異なる値に設定された位置情報取得用下側閾値に電池残量が達することである携帯端末機１００。【選択図】図２
2011172129.tif 000002
【特許請求の範囲】
【請求項１】
充電式電池と、該充電式電池の電池残量を監視して電池残量情報を生成する電池残量検知手段と、携帯端末機の現在地情報を取得する位置情報取得手段と、前記電池残量情報を基に前記電池残量が所定の電子メール送信条件を満たしているか否かを判断して、前記電池残量が電子メール送信条件を満たしている場合にメール送信指示を出力するメール送信条件判断手段と、前記電池残量情報を基に前記電池残量が所定の位置情報取得条件を満たしているか否かを判断して、前記電池残量が所定の位置情報取得条件を満たしている場合に位置情報取得指示を前記位置情報取得手段に対して出力する位置情報取得条件判断手段と、前記メール送信条件判断手段から出力されたメール送信指示を受けて前記電池残量情報および／または現在地情報を含む電子メールを他の端末の宛先に対して送信するメール送信手段とを備え、
前記電子メール送信条件は、前記充電式電池の充電を必要をする程度の値に設定されたメール送信用下側閾値、および／または、前記充電式電池の充電を必要しない程度の値に設定されたメール送信用上側閾値に前記電池残量が達することであり、
前記位置情報取得条件は、前記メール送信用下側閾値とは異なる値に設定された位置情報取得用下側閾値に前記電池残量が達することであることを特徴とする携帯端末機。
【請求項２】
予め登録された他の端末の宛先情報を記憶する宛先記憶手段を備え、
前記メール送信手段は、前記宛先記憶手段にアクセスして前記宛先記憶手段に記憶された宛先を読み出し、該宛先に電子メールを送信することを特徴とする請求項１に記載の携帯端末機。
【請求項３】
前記位置情報取得用下側閾値が、前記メール送信用下側閾値より高く設定されていることを特徴とする請求項１または請求項２に記載の携帯端末機。
【請求項４】
前記携帯端末機に接続している通信基地局の基地局情報を取得する基地局情報取得手段と、前記電池残量情報を基に前記電池残量が所定の基地局情報取得条件を満たしているか否かを判断して、前記電池残量が所定の基地局情報取得条件を満たしている場合に基地局情報取得指示を前記基地局情報取得手段に対して出力する基地局情報取得条件判断手段とを備え、
前記メール送信手段は、前記基地局情報を更に含む電子メールを前記宛先に送信することを特徴とする請求項１乃至請求項３のいずれか１項に記載の携帯端末機。
【請求項５】
前記基地局情報取得条件は、前記メール送信用下側閾値と位置情報取得用下側閾値との間に設定された基地局情報取得用下側閾値に前記電池残量が達することであることを特徴とする請求項４に記載の携帯端末機。
【請求項６】
携帯端末機の充電式電池の電池残量を監視して電池残量情報を生成し、前記電池残量が所定の位置情報取得条件を満たしているか否かを判断して、前記電池残量が所定の位置情報取得条件を満たしている場合に携帯端末機の現在地情報を取得するとともに、前記電池残量が所定の電子メール送信条件を満たしているか否かを判断して、前記電池残量が電子メール送信条件を満たした場合に前記電池残量情報および／または現在地情報を含む電子メールを他の端末の宛先に対して送信する電池残量通知方法であって、
前記電子メール送信条件は、前記充電式電池の充電を必要をする程度の値に設定されたメール送信用下側閾値、および／または、前記充電式電池の充電を必要しない程度の値に設定されたメール送信用上側閾値に前記電池残量が達することであり、
前記位置情報取得条件は、前記メール送信用下側閾値とは異なる値に設定された位置情報取得用下側閾値に前記電池残量が達することであることを特徴とする電池残量通知方法。
【請求項７】
携帯端末機の充電式電池の電池残量を監視して電池残量情報を生成する処理と、前記電池残量が所定の位置情報取得条件を満たしているか否かを判断する処理と、前記電池残量が所定の位置情報取得条件を満たしている場合に携帯端末機の現在地情報を取得する処理と、前記電池残量が所定の電子メール送信条件を満たしているか否かを判断する処理と、前記電池残量が所定の電子メール送信条件を満たしている場合に電池残量情報および／または現在地情報を含む電子メールを他の端末の宛先に対して送信する処理とを携帯端末機に実行させるプログラムであって、
前記電子メール送信条件は、前記充電式電池の充電を必要をする程度の値に設定されたメール送信用下側閾値、および／または、前記充電式電池の充電を必要しない程度の値に設定されたメール送信用上側閾値に前記電池残量が達することであり、
前記位置情報取得条件は、前記メール送信用下側閾値とは異なる値に設定された位置情報取得用下側閾値に前記電池残量が達することであることを特徴とするプログラム。
【発明の詳細な説明】
【技術分野】
【０００１】
本発明は、携帯端末機、電池残量通知方法、および、プログラムに関する。
【背景技術】
【０００２】
近年、保護者と被保護者との間における連絡手段や安否確認手段として、子供や高齢者等の被保護者に、携帯端末機を所持させる例が一般化している。
【０００３】
被保護者に所持させる携帯端末機には、被保護者の現在地情報を確認するために、位置情報取得手段（ＧＰＳ機能）が多く搭載されている（例えば、特許文献１参照。）。
【先行技術文献】
【特許文献】
【０００４】
【特許文献１】特開２００９−１８１５８８号公報
【発明の概要】
【発明が解決しようとする課題】
【０００５】
ところが、携帯端末機は、携帯するという性質上、電池容量切れによる電源オフが起こりうるものであり、電池容量切れが生じた場合、子供や高齢者への連絡や位置情報取得手段による所在確認ができず、携帯端末機は連絡手段や安否確認手段としての機能を失ってしまうという問題があった。
【０００６】
そこで、本発明は、従来の問題を解決するものであって、すなわち、本発明の目的は、被保護者との間における連絡および被保護者の安否確認の確実性を向上させる携帯端末機を提供することである。
【課題を解決するための手段】
【０００７】
本発明の携帯端末機は、充電式電池と、該充電式電池の電池残量を監視して電池残量情報を生成する電池残量検知手段と、携帯端末機の現在地情報を取得する位置情報取得手段と、前記電池残量情報を基に前記電池残量が所定の電子メール送信条件を満たしているか否かを判断して、前記電池残量が電子メール送信条件を満たしている場合にメール送信指示を出力するメール送信条件判断手段と、前記電池残量情報を基に前記電池残量が所定の位置情報取得条件を満たしているか否かを判断して、前記電池残量が所定の位置情報取得条件を満たしている場合に位置情報取得指示を前記位置情報取得手段に対して出力する位置情報取得条件判断手段と、前記メール送信条件判断手段から出力されたメール送信指示を受けて前記電池残量情報および／または現在地情報を含む電子メールを他の端末の宛先に対して送信するメール送信手段とを備え、前記電子メール送信条件は、前記充電式電池の充電を必要をする程度の値に設定されたメール送信用下側閾値、および／または、前記充電式電池の充電を必要しない程度の値に設定されたメール送信用上側閾値に前記電池残量が達することであり、前記位置情報取得条件は、前記メール送信用下側閾値とは異なる値に設定された位置情報取得用下側閾値に前記電池残量が達することであることにより、前述した課題を解決したものである。
【０００８】
また、本発明の電池残量通知方法は、携帯端末機の充電式電池の電池残量を監視して電池残量情報を生成し、前記電池残量が所定の位置情報取得条件を満たしているか否かを判断して、前記電池残量が所定の位置情報取得条件を満たしている場合に携帯端末機の現在地情報を取得するとともに、前記電池残量が所定の電子メール送信条件を満たしているか否かを判断して、前記電池残量が電子メール送信条件を満たした場合に前記電池残量情報および／または現在地情報を含む電子メールを他の端末の宛先に対して送信する電池残量通知方法であって、前記電子メール送信条件は、前記充電式電池の充電を必要をする程度の値に設定されたメール送信用下側閾値、および／または、前記充電式電池の充電を必要しない程度の値に設定されたメール送信用上側閾値に前記電池残量が達することであり、前記位置情報取得条件は、前記メール送信用下側閾値とは異なる値に設定された位置情報取得用下側閾値に前記電池残量が達することであることにより、前述した課題を解決したものである。
【０００９】
本発明のプログラムは、携帯端末機の充電式電池の電池残量を監視して電池残量情報を生成する処理と、前記電池残量が所定の位置情報取得条件を満たしているか否かを判断する処理と、前記電池残量が所定の位置情報取得条件を満たしている場合に携帯端末機の現在地情報を取得する処理と、前記電池残量が所定の電子メール送信条件を満たしているか否かを判断する処理と、前記電池残量が所定の電子メール送信条件を満たしている場合に電池残量情報および／または現在地情報を含む電子メールを他の端末の宛先に対して送信する処理とを携帯端末機に実行させるプログラムであって、前記電子メール送信条件は、前記充電式電池の充電を必要をする程度の値に設定されたメール送信用下側閾値、および／または、前記充電式電池の充電を必要しない程度の値に設定されたメール送信用上側閾値に前記電池残量が達することであり、前記位置情報取得条件は、前記メール送信用下側閾値とは異なる値に設定された位置情報取得用下側閾値に前記電池残量が達することであることにより、前述した課題を解決したものである。
【発明の効果】
【００１０】
本発明によれば、子供や高齢者等の被保護者に連絡手段や安否確認手段として携帯端末機を持たせている場合に、携帯端末機の電池切れが発生する前に、被保護者の携帯端末機の電池残量を通知する電子メールを保護者に対して自動的に送信するため、被保護者に対して充電を促す連絡をとることができ、電池切れによって被保護者と連絡が取れなくなることを回避できる。
【００１１】
また、電子メールに携帯端末機の現在地情報を含めることにより、被保護者が充電式電池の充電を行うことができずに電池残量が無くなり携帯端末機の電源がオフとなった場合であっても、保護者は電源オフ時の被保護者の現在地情報を知ることができるため、保護者は一定の安心感を得ることができる。
【００１２】
また、電池残量が無くなる前に他の端末に携帯端末機の現在地情報を含む電子メールを送信するため、携帯端末機を所持する被保護者が携帯端末機を紛失した場合においても、他の端末に現在地情報を残して置くことができ、携帯端末機の捜索を容易に行うことができる。
【００１３】
また、メール送信条件判断手段とは別途に位置情報取得条件判断手段を設け、位置情報取得用下側閾値をメール送信用下側閾値とは異なる値に設定することにより、位置情報取得手段による現在地情報の取得動作に係る電力消費により、電子メールを送信するのに充分な電池残量が充電式電池に残らない事態の発生を回避できる。
【図面の簡単な説明】
【００１４】
【図１】本発明の第１実施例である携帯端末機の全体概略図である。
【図２】図１に示す携帯端末機の制御部を中心として示すブロック図である。
【図３】図１に示す携帯端末機を用いた電池残量および現在地情報通知システムを概略的に示す説明図である。
【図４】充電式電池の電池残量情報を模式的に示す説明図である。
【図５】電池残量がメール送信用下側閾値に達した場合に送信される電子メールの一例を示す説明図である。
【図６】電池残量がメール送信用上側閾値に達した場合に送信される電子メールの一例を示す説明図である。
【図７】図１に示す携帯端末機の動作を示すフローチャート図である。
【図８】本発明の第２実施例である携帯端末機の制御部を中心として示すブロック図である。
【図９】充電式電池の電池残量情報を模式的に示す説明図である。
【図１０】電池残量がメール送信用下側閾値に達した場合に送信される電子メールの一例を示す説明図である。
【図１１】図８に示す携帯端末機の動作を示すフローチャート図である。
【発明を実施するための形態】
【００１５】
以下、本発明の第１実施例である携帯端末機１００を図面に基づいて説明する。
【実施例】
【００１６】
まず、本発明の第１実施例である携帯端末機１００は、子供や老人等の被保護者に所持させる携帯用電話機であって、図１に示すように、表示部１１０と、キー入力部１２０と、充電式電池１３０と、無線通信部１４０と、記憶部１５０と、これら各部を制御する制御部１６０とを備えている。
【００１７】
制御部１６０は、図２に示すように、電池残量検知部１６１と、メール送信条件判断部１６２と、メール作成部１６３と、位置情報取得部１６５と、位置情報取得条件判断部１６４とを備えている。
【００１８】
電池残量検知部１６１は、充電式電池１３０の電池残量を監視して、電池残量情報を生成する。
この電池残量情報は、記憶部１５０により記憶される。
【００１９】
メール送信条件判断部１６２は、記憶部１５０にアクセスして電池残量情報を読み出し、この電池残量情報と予め登録された所定の電子メール送信条件とを比較して、電池残量が電子メール送信条件を満たしているか否かを判断し、電池残量が電子メール送信条件を満たしている場合に、メール送信指示をメール作成部１６３に出力する。
【００２０】
メール作成部１６３は、メール送信条件判断部１６２からメール送信指示を受けて、電子メールを作成する。
この際、メール作成部１６３は、記憶部１５０にアクセスし、記憶部１５０に予め登録された他の端末Ｃ（本実施例の場合、保護者の保有する端末）の宛先（メールアドレス）および後述する現在地情報を読み出す。
【００２１】
位置情報取得条件判断部１６４は、記憶部１５０にアクセスして電池残量情報を読み出し、この電池残量情報と予め登録された所定の位置情報取得条件とを比較して、電池残量が位置情報取得条件を満たしているか否かを判断し、電池残量が所定の位置情報取得条件を満たしている場合に、位置情報取得指示を位置情報取得部１６５に出力する。
【００２２】
位置情報取得部１６５は、位置情報取得条件判断部１６４から位置情報取得指示を受けて、無線通信部１４０を用いて通信衛星Ｇと通信し、携帯端末機１００の現在地情報を取得する。
この現在地情報は、記憶部１５０に記憶される。
【００２３】
前述した電子メール送信条件は、充電式電池１３０の電池残量が、予め設定されたメール送信用下側閾値またはメール送信用上側閾値に達することである。
メール送信用下側閾値は、図４に示すように、充電式電池１３０が充電を必要をするものの暫くの間は使用可能な程度の値に設定されている。
メール送信用上側閾値は、図４に示すように、充電式電池１３０の充電が行われて電池残量が復帰し、継続的な使用が可能な程度の値に設定されている。
【００２４】
前述した位置情報取得条件は、充電式電池１３０の電池残量が、予め設定された位置情報取得用下側閾値に達することである。
位置情報取得用下側閾値は、図４に示すように、メール送信用下側閾値より高く設定されている。
【００２５】
充電式電池１３０の電池残量がメール送信用下側閾値に達した場合に、メール作成部１６３により作成される電子メールの具体的内容は、以下の通りである。
送信の宛先には、記憶部１５０に予め登録された他の端末Ｃのメールアドレスが記載される。
件名には、図５に示すように、充電式電池１３０の電池残量が少なくなった旨を示す「電池残量アラーム情報」が記載される。
本文内容には、携帯端末機１００の電話番号、充電式電池１３０の電池残量が少なくなった旨、および、携帯端末機１００の現在地情報が記載される。
【００２６】
充電式電池１３０の電池残量がメール送信用上側閾値に達した場合に、メール作成部１６３により作成される電子メールの具体的内容は、以下の通りである。
送信の宛先には、記憶部１５０に予め登録された他の端末Ｃのメールアドレスが記載される。
件名には、図６に示すように、充電式電池１３０の電池残量が一定値にまで復帰した旨を示す「電池残量アラーム解除情報」が記載される。
本文内容には、携帯端末機１００の電話番号、および、充電式電池１３０の電池残量が一定値にまで復帰した旨が記載される。
【００２７】
そして、メール作成部１６３により作成された電子メールは、無線通信部１４０および通信基地局Ｂを介して他の端末Ｃに向けて自動的に送信される。
【００２８】
以下に、本発明の携帯端末機１００を用いた電池残量通知方法を図７に示すフローチャート図に基づいて説明する。
【００２９】
まず、携帯端末機１００は、電池残量検知部１６１により、充電式電池１３０の電池残量を検知する。
そして、電池残量が位置情報取得用下側閾値を下回る場合、携帯端末機１００は、位置情報取得部１６５により携帯端末機１００の現在地情報を取得する。
さらに、電池残量がメール送信用下側閾値を下回る場合、充電要求アラームが発生した状態になり、携帯端末機１００は、メール作成部１６３により、前述したように充電式電池１３０の電池残量が少なくなった旨の電子メールを作成し、この電子メールを他の端末Ｃに送信する。
【００３０】
その後、前述した電子メールを受信した保護者からの充電を促す連絡があった場合や被保護者本人が電池残量の減少に気づいた際に、充電式電池１３０の充電が開始され、充電式電池１３０の電池残量がメール送信用上側閾値に達した場合、充電要求アラームが解除された状態になり、携帯端末機１００は、メール作成部１６３により、前述したように充電式電池１３０の電池残量が一定値にまで復帰した旨の電子メールを作成し、この電子メールを他の端末Ｃに送信する。
【００３１】
このようにして得られた本実施例の携帯端末機１００は、子供や高齢者等の被保護者に連絡手段や安否確認手段として携帯端末機１００を持たせている場合に、携帯端末機１００の電池切れが発生する前に、携帯端末機１００の電池残量を通知する電子メールを保護者に対して自動的に送信するため、この電子メールを受信した保護者が、被保護者に対して充電を促す連絡をとることができ、電池切れによって被保護者と連絡が取れなくなることを回避できる。
【００３２】
さらに、充電式電池１３０の充電が行われ、電池残量が一定の閾値を上回った場合、携帯端末機１００が、電池残量が一定値にまで復帰した旨の電子メールを保護者に対して自動的に送信するため、その電子メールにより電池残量が復帰した旨を保護者が確認できる。
【００３３】
また、電池残量が位置情報取得用下側閾値を下回った場合における電子メールに携帯端末機１００の現在地情報を含めることにより、被保護者が充電式電池１３０の充電を行うことができずに電池残量が無くなり携帯端末機１００の電源がオフとなった場合であっても、保護者は電源オフ時の被保護者の現在地情報を知ることができるため、保護者は一定の安心感を得ることができる。
【００３４】
また、電池残量が無くなる前に他の端末Ｃに携帯端末機１００の現在地情報を含む電子メールを送信するため、携帯端末機１００を所持する被保護者が携帯端末機１００を紛失した場合においても、他の端末Ｃに現在地情報を残して置くことができ、携帯端末機１００の捜索を容易に行うことができる。
【００３５】
また、メール送信条件判断部１６２とは別途に位置情報取得条件判断部１６４を設け、位置情報取得用下側閾値をメール送信用下側閾値より高く設定することにより、位置情報取得部１６５による現在地情報の取得動作に係る電力消費により、電子メールを送信するのに充分な電池残量が充電式電池１３０に残らない事態の発生を回避できる。
【００３６】
なお、上述した本発明の第１実施例では、電池残量がメール送信用上側閾値に達した場合における電子メールの内容に、携帯端末機１００の現在地情報を含まないものとして説明したが、携帯端末機１００の現在地情報を含めても何ら構わない。
その場合、位置情報取得用上側閾値は、メール送信用上側閾値と同じ値、または、メール送信用上側閾値より低い値に設定される。
【００３７】
次に、本発明の第２実施例である携帯端末機２００を図８および図１１に基づいて説明する。
ここで、第２実施例である携帯端末機２００における基地局情報取得部２６６および基地局情報取得条件判断部２６７以外の構成は前述した第１実施例と全く同じであるため、第１実施例の携帯端末機１００に関する明細書、および、図１乃至図７に示す１００番台の符号を２００番台の符号に読み替えることによって、基地局情報取得部２６６および基地局情報取得条件判断部２６７以外の構成についてはその説明を省略する。
【００３８】
携帯端末機２００の制御部２６０は、図８に示すように、基地局情報取得条件判断部２６７と、基地局情報取得部２６６とを更に備えている。
【００３９】
基地局情報取得条件判断部２６７は、記憶部２５０にアクセスして電池残量情報を読み出し、この電池残量情報と予め登録された所定の基地局情報取得条件とを比較して、電池残量が基地局情報取得条件を満たしているか否かを判断し、電池残量が所定の基地局情報取得条件を満たしている場合に基地局情報取得指示を基地局情報取得部２６６に出力する。
【００４０】
基地局情報取得部２６６は、無線通信部２４０を用いて、携帯端末機２００が現在接続している通信基地局Ｂの基地局情報を取得する。
この通信基地局Ｂの基地局情報は、記憶部２５０に記憶される。
【００４１】
前述した基地局情報取得条件は、充電式電池２３０の電池残量が、予め設定された基地局情報取得用下側閾値に達することである。
基地局情報取得用下側閾値は、図９に示すように、メール送信用下側閾値と位置情報取得用下側閾値との間に設定されている。
【００４２】
第２実施例の携帯端末機２００において、充電式電池２３０の電池残量がメール送信用下側閾値に達した場合に、メール作成部２６３により作成される電子メールの具体的内容は、以下の通りである。
送信の宛先には、記憶部２５０に予め登録された他の端末Ｃのメールアドレスが設定される。
件名には、図１０に示すように、充電式電池２３０の電池残量が少なくなった旨を示す「電池残量アラーム情報」が記載される。
本文内容には、携帯端末機２００の電話番号、携帯端末機２００の充電式電池２３０の電池残量が少なくなった旨、および、基地局情報取得部２６６を用いて取得した通信基地局Ｂの基地局情報が記載される。
【００４３】
以下に、本発明の携帯端末機２００を用いた電池残量通知方法を図１１に示すフローチャート図に基づいて説明する。
【００４４】
まず、携帯端末機２００は、電池残量検知部２６１により、充電式電池２３０の電池残量を検知する。
そして、電池残量が位置情報取得用下側閾値を下回る場合、携帯端末機２００は、位置情報取得部２６５により携帯端末機２００の現在地情報を取得する。
次に、位置情報取得部２６５が現在地情報を取得できない場合であって、電池残量が基地局情報取得用下側閾値を下回る場合、携帯端末機２００は、基地局情報取得部２６６により携帯端末機２００に接続されている通信基地局Ｂの基地局情報を取得する。
さらに、電池残量がメール送信用下側閾値を下回る場合、充電要求アラームが発生した状態になり、携帯端末機２００は、メール作成部２６３により、前述したように充電式電池２３０の電池残量が少なくなった旨の電子メールを作成し、この電子メールを他の端末Ｃに送信する。
【００４５】
その後、前述した電子メールを受信した保護者からの充電を促す連絡があった場合や被保護者本人が電池残量の減少に気づいた際に、充電式電池２３０の充電が開始され、充電式電池２３０の電池残量がメール送信用上側閾値に達した場合、充電要求アラームが解除された状態になり、携帯端末機２００は、メール作成部２６３により、前述したように充電式電池２３０の電池残量が一定値にまで復帰した旨の電子メールを作成し、この電子メールを他の端末Ｃに送信する。
【００４６】
このようにして得られた本実施例の携帯端末機２００は、基地局情報取得部２６６および基地局情報取得条件判断部２６７を備えていることにより、位置情報取得部２６５による現在地情報の取得が不可能な場合であっても、基地局情報取得部２６６を用いて通信基地局Ｂの基地局情報を取得し、この基地局情報を保護者に対して報告することが可能であるため、保護者が一定の安心感を得ることができる。
【００４７】
また、メール送信条件判断部２６２や位置情報取得条件判断部２６４とは別途に基地局情報取得条件判断部２６７を設け、基地局情報取得用下側閾値をメール送信用下側閾値と位置情報取得用下側閾値との間に設定することにより、基地局情報取得部２６６による基地局情報の取得動作に係る電力消費により、電子メールを送信するのに充分な電池残量が充電式電池２３０に残らない事態の発生を回避できる。
【００４８】
なお、上述した本発明の第２実施例では、位置情報取得部２６５により現在地情報を取得できた場合には、基地局情報取得部２６６による基地局情報の取得を行わないものとして説明したが、位置情報取得部２６５により現在地情報を取得できた場合であっても基地局情報取得部２６６による基地局情報の取得を行うように設計しても何ら構わない。
その場合、他の端末Ｃに送信される電子メールには、現在地情報および基地局情報の両方を付してもよく、また、現在地情報のみを付してもよい。
【００４９】
また、電池残量がメール送信用上側閾値に達した場合における電子メールの内容に、携帯端末機２００の現在地情報および基地局情報を含まないものとして説明したが、携帯端末機２００の現在地情報および／または基地局情報を含めても何ら構わない。
その場合、位置情報取得用上側閾値は、メール送信用上側閾値と同じ値、または、メール送信用上側閾値より低い値に設定され、また、基地局情報取得用上側閾値は、メール送信用上側閾値と同じ値、または、位置情報取得用上側閾値とメール送信用上側閾値との間の値に設定される。
【００５０】
上記の実施形態の一部又は全部は、以下の付記のようにも記載されうるが、以下には限られない。
【００５１】
（付記１）充電式電池と、該充電式電池の電池残量を監視して電池残量情報を生成する電池残量検知手段と、携帯端末機の現在地情報を取得する位置情報取得手段と、前記電池残量情報を基に前記電池残量が所定の電子メール送信条件を満たしているか否かを判断して、前記電池残量が電子メール送信条件を満たしている場合にメール送信指示を出力するメール送信条件判断手段と、前記電池残量情報を基に前記電池残量が所定の位置情報取得条件を満たしているか否かを判断して、前記電池残量が所定の位置情報取得条件を満たしている場合に位置情報取得指示を前記位置情報取得手段に対して出力する位置情報取得条件判断手段と、前記メール送信条件判断手段から出力されたメール送信指示を受けて前記電池残量情報および／または現在地情報を含む電子メールを他の端末の宛先に対して送信するメール送信手段とを備え、前記電子メール送信条件は、前記充電式電池の充電を必要をする程度の値に設定されたメール送信用下側閾値、および／または、前記充電式電池の充電を必要しない程度の値に設定されたメール送信用上側閾値に前記電池残量が達することであり、前記位置情報取得条件は、前記メール送信用下側閾値とは異なる値に設定された位置情報取得用下側閾値に前記電池残量が達することである携帯端末機。
【００５２】
（付記２）予め登録された他の端末の宛先情報を記憶する宛先記憶手段を備え、前記メール送信手段は、前記宛先記憶手段にアクセスして前記宛先記憶手段に記憶された宛先を読み出し、該宛先に電子メールを送信する付記１に記載の携帯端末機。
【００５３】
（付記３）前記位置情報取得用下側閾値が、前記メール送信用下側閾値より高く設定されている付記１または付記２に記載の携帯端末機。
【００５４】
（付記４）前記携帯端末機に接続している通信基地局の基地局情報を取得する基地局情報取得手段と、前記電池残量情報を基に前記電池残量が所定の基地局情報取得条件を満たしているか否かを判断して、前記電池残量が所定の基地局情報取得条件を満たしている場合に基地局情報取得指示を前記基地局情報取得手段に対して出力する基地局情報取得条件判断手段とを備え、
前記メール送信手段は、前記基地局情報を更に含む電子メールを前記宛先に送信する付記１乃至付記３のいずれか１つに記載の携帯端末機。
【００５５】
（付記５）前記基地局情報取得条件は、前記メール送信用下側閾値と位置情報取得用下側閾値との間に設定された基地局情報取得用下側閾値に前記電池残量が達することである付記４に記載の携帯端末機。
【００５６】
（付記６）携帯端末機の充電式電池の電池残量を監視して電池残量情報を生成し、前記電池残量が所定の位置情報取得条件を満たしているか否かを判断して、前記電池残量が所定の位置情報取得条件を満たしている場合に携帯端末機の現在地情報を取得するとともに、前記電池残量が所定の電子メール送信条件を満たしているか否かを判断して、前記電池残量が電子メール送信条件を満たした場合に前記電池残量情報および／または現在地情報を含む電子メールを他の端末の宛先に対して送信する電池残量通知方法であって、前記電子メール送信条件は、前記充電式電池の充電を必要をする程度の値に設定されたメール送信用下側閾値、および／または、前記充電式電池の充電を必要しない程度の値に設定されたメール送信用上側閾値に前記電池残量が達することであり、前記位置情報取得条件は、前記メール送信用下側閾値とは異なる値に設定された位置情報取得用下側閾値に前記電池残量が達することである電池残量通知方法。
【００５７】
（付記７）携帯端末機の充電式電池の電池残量を監視して電池残量情報を生成する処理と、前記電池残量が所定の位置情報取得条件を満たしているか否かを判断する処理と、前記電池残量が所定の位置情報取得条件を満たしている場合に携帯端末機の現在地情報を取得する処理と、前記電池残量が所定の電子メール送信条件を満たしているか否かを判断する処理と、前記電池残量が所定の電子メール送信条件を満たしている場合に電池残量情報および／または現在地情報を含む電子メールを他の端末の宛先に対して送信する処理とを携帯端末機に実行させるプログラムであって、前記電子メール送信条件は、前記充電式電池の充電を必要をする程度の値に設定されたメール送信用下側閾値、および／または、前記充電式電池の充電を必要しない程度の値に設定されたメール送信用上側閾値に前記電池残量が達することであり、前記位置情報取得条件は、前記メール送信用下側閾値とは異なる値に設定された位置情報取得用下側閾値に前記電池残量が達するプログラム。
【符号の説明】
【００５８】
１００  ・・・  携帯端末機
１１０  ・・・  表示部
１２０  ・・・  キー入力部
１３０、２３０  ・・・  充電式電池
１４０、２４０  ・・・  無線通信部
１５０、２５０  ・・・  記憶部
１６０、２６０  ・・・  制御部
１６１、２６１  ・・・  電池残量検知部
１６２、２６２  ・・・  メール送信条件判断部
１６３、２６３  ・・・  メール作成部
１６４、２６４  ・・・  位置情報取得条件判断部
１６５、２６５  ・・・  位置情報取得部
２６６  ・・・  基地局情報取得部
２６７  ・・・  基地局情報取得条件判断部
Ｃ    ・・・  他の端末
Ｃ１  ・・・  他の端末の表示部
Ｂ    ・・・  通信基地局
Ｇ    ・・・  通信衛星
【図１】
2011172129.tif 000003
【図２】
2011172129.tif 000004
【図３】
2011172129.tif 000005
【図４】
2011172129.tif 000006
【図５】
2011172129.tif 000007
【図６】
2011172129.tif 000008
【図７】
2011172129.tif 000009
【図８】
2011172129.tif 000010
【図９】
2011172129.tif 000011
【図１０】
2011172129.tif 000012
【図１１】
2011172129.tif 000013